(57)【要約】【課題】バースト性対話型トラフィックを伴うユーザー機器のための待ち時間削減。【解決手段】例示的実施形態によると、少なくとも、ユーザー機器により通信リンクの無線リソース制御接続状態を確立し、通信リンクの無線リソース制御接続状態の少なくとも１つの要素を維持するようにユーザー機器に命令する標示を受信し、無線リソース制御接続状態の少なくとも１つの要素を無期限に維持するように構成され、少なくとも１つの要素は、通信リンクの無線リソース制御接続状態を用いてデータ転送した後に維持されるようになっている、方法および装置が存在する。さらに、ユーザー機器を用いて通信リンクの無線リソース制御接続状態を確立するステップ、ユーザー機器から通信リンク上でデータを受信するステップ、および無線リソース制御接続状態の少なくとも１つの要素を無期限に維持するようにユーザー機器に命令するメッセージを送信するステップが存在する。
2018501712.tif 000002
【特許請求の範囲】
【請求項１】
ネットワーク・ノードによるサービス提供を受けるセル内で、通信ネットワークのネットワーク・ノードに対する通信リンクの無線リソース制御接続状態を、ユーザー機器により確立するステップと、
前記通信リンクの前記無線リソース制御接続状態の少なくとも１つの要素を維持するように前記ユーザー機器に命令する標示を受信するステップと、
前記標示に応答して、前記通信リンクの前記無線リソース制御接続状態の前記少なくとも１つの要素を、前記ユーザー機器により無期限に維持するステップと、
を含み、前記無線リソース制御接続状態の前記少なくとも１つの要素は、前記通信リンクの前記無線リソース制御接続状態を用いたデータ転送後に維持されるようになっている、方法。
【請求項２】
前記標示は、前記通信ネットワークからのメッセージおよび前記ユーザー機器におけるインアクティビティ・タイマーの満了のうちの１つを含む、請求項１に記載の方法。
【請求項３】
前記無線リソース制御接続状態の前記少なくとも１つの要素は、前記無線リソース制御接続状態の少なくとも１つの要素を解除するように前記ユーザー機器に命令する前記通信ネットワークからの明示的シグナリング、タイマーの満了、および前記ネットワーク・ノードによるサービス提供を受けていないセルへの前記ユーザー機器の移動のうちの少なくとも１つまで無期限に維持される、請求項１または２に記載の方法。
【請求項４】
少なくとも１つのプロセッサと、
コンピュータ・プログラム・コードを含む少なくとも１つのメモリと、
を備え、前記少なくとも１つのメモリと前記コンピュータ・プログラム・コードは、前記少なくとも１つのプロセッサを用いて、前記装置に、少なくとも、
ネットワーク・ノードによるサービス提供を受けるセル内で通信ネットワークのネットワーク・ノードに対する通信リンクの無線リソース制御接続状態を確立させ、
前記通信リンクの前記無線リソース制御接続状態の少なくとも１つの要素を維持するように前記装置に命令する標示を受信させ、
前記標示に応答して、前記通信リンクの前記無線リソース制御接続状態の前記少なくとも１つの要素を、前記装置を用いて無期限に維持させるように構成されており、
前記無線リソース制御接続状態の前記少なくとも１つの要素は、前記通信リンクの前記無線リソース制御接続状態を用いたデータ転送後に維持されるようになっている、装置。
【請求項５】
前記標示は、前記通信ネットワークからのメッセージおよび前記ユーザー機器におけるインアクティビティ・タイマーの満了のうちの１つを含む、請求項４に記載の装置。
【請求項６】
前記通信ネットワークからの前記メッセージはさらに、測定構成、キャリヤおよび／またはセル変更優先度、およびタイミング・アドバンス・タイマー情報のうちの少なくとも１つに関連する前記装置用の命令を含む、請求項５に記載の装置。
【請求項７】
前記無線リソース制御接続状態の前記少なくとも１つの要素は、前記無線リソース制御接続状態の少なくとも１つの要素を解除するように前記装置に命令する前記通信ネットワークからの明示的シグナリング、タイマーの満了、および前記ネットワーク・ノードによるサービス提供を受けていないセルへの前記装置の移動のうちの少なくとも１つまで無期限に維持される、請求項４ないし６のいずれか１項に記載の装置。
【請求項８】
前記無線リソース制御接続状態の前記維持された少なくとも１つの要素は、前記無線リソース制御接続状態の少なくとも１つのベアラおよびセキュリティ・キーを含む、請求項４ないし７のいずれか１項に記載の装置。
【請求項９】
前記装置が、前記通信リンクの前記接続状態の少なくとも１つの要素を維持している間、前記装置は、前記ネットワーク・ノードに対してチャネル状態情報を送信せず、前記ネットワーク・ノードに対して測定値を報告しないこと、および比較的少ない頻度で測定値を報告することのうちの１つを行う、請求項４ないし８のいずれか１項に記載の装置。
【請求項１０】
データ転送が求められる場合のために、前記方法は、
前記ネットワーク・ノードに対して前記無線リソース制御接続状態の前記維持された少なくとも１つの要素を用いて前記通信リンク上でスケジューリング要求を送信するステップと、
前記スケジューリング要求に基づいて、前記通信リンクの無線リソース制御接続状態を再開し、前記ネットワーク・ノードに対して前記通信リンク上で前記別のデータを転送するステップと、
を含む、請求項４ないし９のいずれか１項に記載の装置。
【請求項１１】
前記コンピュータ・プログラム・コードを含む前記少なくとも１つのメモリは、前記少なくとも１つのプロセッサを用いて、前記装置に、前記通信リンクを再同期することおよび前記スケジューリング要求を送信する前に前記通信リンク上で前記ネットワーク・ノードに対してバッファ状況報告を送信することのうちの少なくとも１つを行わせるように構成されている、請求項１０に記載の装置。
【請求項１２】
前記ネットワーク・ノードによりサポートされ前記無線リソース制御接続状態の前記維持された少なくとも１つの要素の変更を必要としないセルのリストを、前記通信ネットワークから受信するステップを含む、請求項４ないし１１のいずれか１項に記載の装置。
【請求項１３】
前記コンピュータ・プログラム・コードを含む前記少なくとも１つのメモリは、前記少なくとも１つのプロセッサを用いて、前記装置に、
前記通信ネットワークの新しいセルへの前記装置のセル変更条件を検出させ、
この検出に応答して、前記新しいセルが、前記無線リソース制御接続状態の前記維持された少なくとも１つの要素の変更を必要としないセルのリスト上にあるか否かを決定させ、
前記新しいセルが前記セル・リスト上にあることの決定に基づいて、前記無線リソース制御接続状態の前記維持された少なくとも１つの要素を伴う前記新しいセルを選択させ、そうでない場合、
前記新しいセルが前記セル・リスト上に無いことの決定に基づいて、前記通信リンクをアイドル状態に自律的に遷移させ、前記新しいセルに対する接続作業を行わせる、
ように構成されている、請求項１２に記載の装置。
【請求項１４】
前記コンピュータ・プログラム・コードを含む前記少なくとも１つのメモリは、前記少なくとも１つのプロセッサを用いて、前記装置に、前記タイマーの満了時点で前記通信リンクをアイドル状態に自律的に遷移させ、前記通信リンクの前記無線リソース制御接続状態の前記維持された少なくとも１つの要素を解除させるように構成されている、請求項４ないし１３のいずれか１項に記載の装置。
【請求項１５】
少なくとも１つのプロセッサと、
コンピュータ・プログラム・コードを含む少なくとも１つのメモリと、
を備え、前記少なくとも１つのメモリと前記コンピュータ・プログラム・コードは、前記少なくとも１つのプロセッサを用いて、前記装置に、少なくとも、
前記装置によるサービス提供を受けるセル内でユーザー機器を用いて通信リンクの無線リソース制御接続状態を通信ネットワーク内で確立させ、
前記ユーザー機器から前記通信リンク上でデータを受信させ、
前記データ受信が完了した後に前記通信リンクの前記無線リソース制御接続状態の少なくとも１つの要素を維持するように前記ユーザー機器に命令する、無線リソース制御情報要素を含むメッセージを前記ユーザー機器に対して送信させる、
ように構成されている、装置。
【請求項１６】
前記無線リソース制御接続状態の前記少なくとも１つの要素は、前記無線リソース制御接続状態の少なくとも１つの要素を解除するように前記ユーザー機器に命令する前記通信ネットワークからの明示的シグナリング、タイマーの満了、および前記ネットワーク・ノードによるサービス提供を受けていないセルへの前記ユーザー機器の移動のうちの少なくとも１つまで無期限に維持されるようになっている、請求項１５に記載の装置。
【請求項１７】
前記維持するステップは、前記無線リソース制御接続状態の少なくとも１つのベアラおよびセキュリティ・キーを維持するステップを含む、請求項１５または１６に記載の装置。
【請求項１８】
前記ユーザー機器への前記メッセージはさらに、測定構成、キャリヤおよび／またはセル変更優先度、およびタイミング・アドバンス・タイマー情報のうちの少なくとも１つに関連する前記ユーザー機器用の命令を含む、請求項１５ないし１７のいずれか１項に記載の装置。
【請求項１９】
前記ユーザー機器が、前記通信リンクの前記接続状態の少なくとも１つの要素を維持している間、前記装置は、前記ユーザー機器からチャネル状態情報を受信せず、前記ユーザー機器から測定値を受信しないこと、および比較的少ない頻度で測定値を受信することのうちの１つを行う、請求項１５ないし１８のいずれか１項に記載の装置。
【請求項２０】
前記コンピュータ・プログラム・コードを含む前記少なくとも１つのメモリは、前記少なくとも１つのプロセッサを用いて、前記装置に、前記装置によりサポートされ前記リンクの前記接続状態の前記維持された少なくとも１つの要素の変更を必要としないセルのリストを前記ユーザー機器に対して送信させるように構成されている、請求項１５ないし１９のいずれか１項に記載の装置。
【請求項２１】
ネットワーク・ノードによるサービス提供を受けるセル内でネットワーク・ノードに対する通信リンクの無線リソース制御接続状態を、通信ネットワークのユーザー機器により確立するための手段と、
前記通信リンクの前記無線リソース制御接続状態の少なくとも１つの要素を維持するように前記ユーザー機器に命令する標示を受信するための手段と、
前記標示に応答して、前記通信リンクの前記無線リソース制御接続状態の前記少なくとも１つの要素を、前記ユーザー機器により無期限に維持するための手段と、
を備え、前記無線リソース制御接続状態の前記少なくとも１つの要素は、前記通信リンクの前記無線リソース制御接続状態を用いたデータ転送後に維持されるようになっている、装置。
【請求項２２】
前記装置によるサービス提供を受けるセル内でユーザー機器を用いて通信リンクの無線リソース制御接続状態を通信ネットワーク内で確立するための手段と、
前記ユーザー機器から前記通信リンク上でデータを受信するための手段と、
前記データ転送が完了した後に前記通信リンクの前記無線リソース制御接続状態の少なくとも１つの要素を維持するように前記ユーザー機器に命令する、無線リソース制御情報要素を含むメッセージを前記ユーザー機器に対して送信するための手段、
を備えた、装置。
【請求項２３】
内部に具体化されたコンピュータ・プログラム・コードを有するコンピュータ可読媒体を備えたコンピュータ・プログラム・プロダクトであって、前記コンピュータ・プログラム・コードは、少なくとも１つのプロセッサによって実行された場合に、装置に、
ネットワーク・ノードによるサービス提供を受けるセル内で通信ネットワークのネットワーク・ノードに対する通信リンクの無線リソース制御接続状態を確立させ、
前記通信リンクの前記無線リソース制御接続状態の少なくとも１つの要素を維持するように前記装置に命令する標示を受信させ、
前記標示に応答して、前記装置を用いて、前記通信リンクの前記無線リソース制御接続状態の前記少なくとも１つの要素を無期限に維持させる、
ためのものであり、前記無線リソース制御接続状態の前記少なくとも１つの要素は、前記通信リンクの前記無線リソース制御接続状態を用いたデータ転送後に維持されるようになっている、コンピュータ・プログラム・プロダクト。
【請求項２４】
内部に具体化されたコンピュータ・プログラム・コードを有するコンピュータ可読媒体を備えたコンピュータ・プログラム・プロダクトであって、前記コンピュータ・プログラム・コードは、少なくとも１つのプロセッサによって実行された場合に、装置に、
前記装置によるサービス提供を受けるセル内でユーザー機器を用いて通信リンクの無線リソース制御接続状態を通信ネットワーク内で確立させ、
前記ユーザー機器から前記通信リンク上でデータを受信させ、
前記データ転送が完了した後に前記通信リンクの前記無線リソース制御接続状態の少なくとも１つの要素を維持するように前記ユーザー機器に命令する、無線リソース制御情報要素を含むメッセージを前記ユーザー機器に対して送信させる、
ように構成されている、コンピュータ・プログラム・プロダクト。
【発明の詳細な説明】
【技術分野】
【０００１】
［関連出願の相互参照］
本発明は、参照により本明細書に全体が組込まれている２０１４年１２月５日出願の「バースト性対話型トラフィックを伴うユーザー機器のための待ち時間削減」と題された米国特許出願第１４／５６２００６号の利益を主張するものである。
【０００２】
本発明の例示的実施形態に係る教示は、概して、ＬＴＥシステム内のユーザー機器のための待ち時間の削減、より具体的には、ＬＴＥシステム内のＲＲＣ接続の確立プロシージャによりひき起こされる待ち時間の削減に関する。
【背景技術】
【０００３】
本節は、クレーム中で列挙されている本発明に対して背景技術または状況を提供するよう意図されている。本明細書中の説明には、追求することはできるものの必ずしも以前に構想または追求されてきたものではない概念が含まれている場合がある。したがって、本明細書に別段の指示の無い限り、本節で説明されていることは本出願中の明細書およびクレームに対する先行技術ではなく、本節に内含されることによって先行技術であるものとして認められるわけではない。
【０００４】
明細書中および／または図中で見出すことのできるいくつかの略語は、ここでは、以下のように定義される。
ＡＣＫ  肯定応答
ＢＳＲ  バッファ状況報告
ＣＳＩ  チャネル状態情報
ＣＱＩ  チャネル品質標示
ＤＲＸ  不連続受信
ｅＮＢ  基地局
ＨＯＦ  ハンドオーバー障害
ＬＴＥ  ロング・ターム・エボリューション
ＭＤＴ  ドライブ・テストの最小化
ＭＯ    移動体発信
ＭＴ    移動体着信
ＮＡＳ  非アクセス層
ＮＷ    ネットワーク
ＰＤＣＣＨ      物理ダウンリンク制御チャネル
ＰＵＣＣＨ      物理アップリンク制御チャネル
ＲＡＣＨ        ランダム・アクセス・チャネル
ＲＬＦ          無線リンク障害
ＲＮＴＩ        無線ネットワーク一時識別子
ＲＡ−ＲＮＴＩ  ランダム・アクセス無線ネットワーク一時識別子
ＲＲＣ          無線リソース制御
ＲＲＨ          遠隔無線ヘッド
ＳＭＳ          ショート・メッセージ・サービス
ＳＲ            スケジューリング要求
ＴＡ            タイミング・アドバンス
ＴＡＴ          タイム・アラインメント・タイマー
ＴＭＳＩ        一時移動体加入者アイデンティティ
ＴＡＵ          トラッキング・エリア更新
Ｔ−ＣＲＮＴＩ  一時的セル無線ネットワーク一時識別子
ＵＥ            ユーザー機器
ＵＬ            アップリンク
【発明の概要】
【発明が解決しようとする課題】
【０００５】
必要とされる制御シグナリング・オーバーヘッドに起因して、データ・トラフィック・バーストなどの最小限のデータ伝送要件のための接続セットアップが、無線通信、特にＬＴＥにとって問題になってきている。接続がセットアップされる場合にはつねに、ユーザー機器とネットワークの間の一連の通信が必要とされる。これらの通信のために必要とされる時間は短いものとみなすことができるものの、接続セットアップによりひき起こされる結果としての待ち時間は、ユーザー機器のユーザーにとって極めて歴然としたものであり得る。本発明の例示的実施形態は、接続セットアップ・プロシージャによってひき起こされるデータ・トラフィックの待ち時間に関する問題に対処するために機能する。
【課題を解決するための手段】
【０００６】
本発明の一例示的態様においては、ネットワーク・ノードによるサービス提供を受けるセル内で通信ネットワークのネットワーク・ノードに対する通信リンクの無線リソース制御接続状態を、ユーザー機器により確立するステップと、通信リンクの無線リソース制御接続状態の少なくとも１つの要素を維持するようにユーザー機器に命令する標示を受信するステップと、標示に応答して、通信リンクの無線リソース制御接続状態の少なくとも１つの要素を、ユーザー機器により無期限に維持するステップと、を含み、無線リソース制御接続状態の少なくとも１つの要素は、通信リンクの無線リソース制御接続状態を用いてデータ転送した後に維持されるようになっている、方法が存在する。
【０００７】
本発明の別の例示的態様においては、少なくとも１つのプロセッサと、コンピュータ・プログラム・コードを含む少なくとも１つのメモリと、を備え、少なくとも１つのメモリとコンピュータ・プログラム・コードは、少なくとも１つのプロセッサを用いて、装置に、少なくとも、ネットワーク・ノードによるサービス提供を受けるセル内で通信ネットワークのネットワーク・ノードに対する通信リンクの無線リソース制御接続状態を、装置を用いて確立させ、通信リンクの無線リソース制御接続状態の少なくとも１つの要素を維持するように装置に命令する標示を受信させ、標示に応答して、通信リンクの無線リソース制御接続状態の少なくとも１つの要素を、装置を用いて無期限に維持させるように構成されており、無線リソース制御接続状態の少なくとも１つの要素は、通信リンクの無線リソース制御接続状態を用いてデータ転送した後に維持されるようになっている、装置が存在する。
【０００８】
本発明の別の例示的態様において、少なくとも１つのプロセッサと、コンピュータ・プログラム・コードを含む少なくとも１つのメモリとを備え、少なくとも１つのメモリとコンピュータ・プログラム・コードは、少なくとも１つのプロセッサを用いて、装置に、少なくとも、装置によるサービス提供を受けるセル内でユーザー機器を用いて通信リンクの無線リソース制御接続状態を通信ネットワーク内で確立させ、ユーザー機器からアップリンク上でデータを受信させ、データ受信が完了した後に通信リンクの無線リソース制御接続状態の少なくとも１つの要素を維持するようにユーザー機器に命令する、無線リソース制御情報要素を含むメッセージを、ユーザー機器に対して送信させるように構成されている、装置が存在する。
【０００９】
本発明の実施形態の以上のおよび他の態様は、添付された図面の図と併せて読んだ場合に、以下の詳細な説明においてさらに明白になる。
【図面の簡単な説明】
【００１０】
【図１】当該ＬＴＥ  ＲＲＣ接続確立プロシージャを示す。
【図２】本発明の例示的実施形態に係る動作を行うように構成されたデバイスの簡略化されたブロック図を示す。
【図３】例示的実施形態に係る呼出しセットアップのためのシグナリング負荷フローを示す。
【図４】接続状態とその間の遷移を示す。
【図５Ａ】装置が行うことのできる例示的実施形態に係る方法を示す。
【図５Ｂ】装置が行うことのできる例示的実施形態に係る方法を示す。
【発明を実施するための形態】
【００１１】
本発明において、ＬＴＥシステムなどのシステム内のＲＲＣ接続確立プロシージャによってひき起こされる待ち時間を削減するための少なくとも１つの無線リソース制御（ＲＲＣ）接続維持方法を提案する。
【００１２】
本発明の例示的実施形態は、ＬＴＥシステム内での待ち時間の削減に関する。当然のことながら、このように、待ち時間はさまざまな形態、例えばセルへのアクセスを得る上での待ち時間、データをオフロード状態にする上での待ち時間、および障害事象後に接続を（再）確立する上での待ち時間などのさまざまな形態で理解することができる。さらに、本発明の例示的実施形態により網羅されている１つの極めて重要な態様には、ＩＤＬＥ状態からＣＯＮＮＥＣＴＥＤ状態へのＵＥの遷移の待ち時間を短縮することが含まれる。これは、多くの場合、ユーザーが開始した（例えば移動体発信された）データにおける付加的遅延としてユーザーが待ち時間に直接気付くことから重要である。
【００１３】
現在ＬＴＥにおいては、たとえそれ自体は効率化されたものであっても、ＲＲＣ接続確立プロシージャは、ＲＲＣメッセージが相互に交換されることからなお時間を費すものである。呼出しセットアップには、（当然、ＮＷ負荷、帰路待ち時間、ＵＥチャネル品質などに幾分か応じて）８０ｍｓ前後の時間がかかる。ＲＲＣアイドルモード（ＩＤＬＥ）からＲＲＣ接続モードへの遷移を行うために、ＲＲＣ接続確立を使用することができる。ＵＥなどのデバイスが、任意のアプリケーション・データを転送するかまたは任意のシグナリング・プロシージャを完了できる前に、ＲＲＣ接続モードが必要とされる。こうして、ＵＥがＩＤＬＥに解除されその後データ伝送を求める毎に、ＵＥは、再び接続状態になるために接続確立プロシージャを行う必要がある。このことは、ＵＥのバッテリを消費するだけでなく、幾分か時間がかかり、エア・インターフェース内およびネットワーク内などにおいてシグナリングのオーバーヘッドをひき起こす。このＲＲＣ接続セットアップ・プロシージャのシグナリングの流れ図が、図１に示されている。
【００１４】
図１は、現行のＬＴＥのＲＲＣ接続確立プロシージャを示す。ステップ１１０に示されているように、ｅＮＢはＵＥをページングする。ステップ１１５では、ＵＥはランダム・アクセス（ＲＡ）プリアンブルで応答する。ステップ１２０において、ｅＮＢは、ＲＡに対して応答し、標示された通り、この応答は、一時的セル無線ネットワーク一時識別子（Ｔ−ＣＲＮＴＩ）およびＵＬグラントおよび／またはタイミング・アドバンス（ＴＡ）を含むことができる。ステップ１２５において、ＵＥはＲＲＣＣｏｎｎｅｃｆｉｏｎＲｅｑｕｅｓｔをｅＮＢに送信する。この要求は、一時移動体加入者アイデンティティ（ＴＭＳＩ）またはランダム値を含み得るランダム・アクセス・チャネル・メッセージ（ＲＡＣＨＭｓｇ３）を含むことができる。ステップ１３０において、ｅＮＢは、ＲＲＣＣｏｎｎｅｃｔｉｏｎＳｅｔｕｐメッセージをＵＥに送信する。ステップ１３５では、ＵＥは、ＲＲＣＣＣｏｎｅｅｃｔｉｏｎＳｅｔｕｐＣｏｍｐｌｅｔｅメッセージで応答する。その後、ステップ１４０では、ｅＮＢにより非暗号化された状態でＵＥに対してＳｅｃｕｒｉｔｙＭｏｄｅＣｏｍｍａｎｄが送信される。ステップ１４５では、ｅＮＢによりＵＥに対し、ＲＲＣＣｏｎｎｅｃｔｉｏｎＲｅｃｏｎｆｉｇｕｒａｔｉｏｎが送信される。次にステップ１５０において、ＵＥはｅＮＢに対し、非暗号化された状態でＳｅｃｕｒｉｔｙＭｏｄｅＣｏｍｐｌｅｔｅメッセージを送信する。ステップ１５５では、ＵＥは、ｅＮＢに対して、暗号化された状態でＲＲＣＣｏｎｎｅｃｔｉｏｎＲｅｃｏｎｆｉｇｕｒａｔｉｏｎＣｏｍｐｌｅｔｅメッセージを送信する。次に、ステップ１６０において、ＵＥとｅＮＢの間にデータ転送が存在する。
【００１５】
同様に以上で述べた通り、ＩＤＬＥ状態に解除されているＵＥがデータ伝送を必要とする場合、このＵＥは、再び接続状態になるためにＲＲＣ接続確立プロシージャに従わなければならない。ＲＲＣ接続確立プロシージャはＵＥにより開始されるが、ＵＥまたはネットワークのいずれかによりトリガーされ得る。例えば、エンドユーザーが、例えばインターネットをブラウズするかまたはＥメールを送信するためのアプリケーションを開始した場合、ＲＲＣ接続確立がトリガーされる。同様に、ＵＥが新しいトラッキング・エリア内に移動した場合、ＲＲＣ接続確立がトリガーされ、トラッキング・エリア更新シグナリング・プロシージャを完了させなければならない。ネットワークは、図１のページング・メッセージ１１０などのページング・メッセージを送信することにより、ＲＲＣ接続確立プロシージャをトリガーする。さらに、この接続は、例えば、着信ＳＭＳの送出または着信音声呼出しの通知のために必要とされると考えられる。
【００１６】
（例えばブラウザと対話する）ユーザーにより新しいデータが開始され、その後いかなるトラフィックも無い幾らかのより長い読取り時間が続くウェブ・ブラウジング向けなどのバースト性のおよび／または対話型のトラフィックをＵＥが行う場合、データ・バースト間でＵＥの接続を解除することがＵＥの電力消費という観点から見て好ましいとみなされる可能性があると言うこと理解される。しかしながら、これは、シグナリング（ひいては電力消費）の観点から見たオーバーヘッドならびに付加的遅延をひき起こす。実際には、これはすなわち、この一般的用途の場合において、意図されたリンクが開かれページがロードされレンダリングされこうしてユーザーに見えるようになる前に、ユーザーが付加的遅延（例えばおよそ８０ｍｓ）に気付かされる、ということを意味する。
【００１７】
その一方で、ネットワークがＵＥをトラフィック・バースト間で接続された状態に保つ場合、待ち時間は短縮されるが、これは、たとえＤＲＸ（これも同様に待ち時間を増大させる）を使用しても、ＵＥの電力消費を増大させることが考えられる。ＵＥは、一定の時間中ＰＤＣＣＨの監視をＵＥが停止できるようにする接続モードＤＲＸ機能性を伴って［ＲＲＣ／ＭＡＣにより］構成されていることができる。接続モードＤＲＸ以外に、ＵＥは、電力消費を削減するためアイドル・モードで不連続受信（ＤＲＸ）を使用することもできる。１ページング・オケージョン（ＰＯ）は、ページング・メッセージをアドレッシングするＰＤＣＣＨ上で伝送されるＰ−ＲＮＴＩが存在できるサブフレームである。１ページング・フレーム（ＰＦ）は、１つまたは多数のページング・オケージョンを格納できる１つの無線フレームである。ＤＲＸが使用される場合、ＵＥは、１ＤＲＸサイクルにつき１つのＰＯを監視する必要しかない。これは、３ＧＰＰ  ＴＳ  ３６．３０４Ｖ１２．２．０（２０１４−０９）によるものである。ページングの主要な目的は、ネットワーク（ＮＷ）が、アイドル状態にあるＵＥ（例えばＲＲＣ＿ＩＤＬＥ）に到達することである。当然のことながら、ＲＲＣ＿ＣＯＮＮＥＣＴＥＤモードにあるＵＥのためにページングを使用することができる。図１では、ページングはＮＷにより、ＲＲＣ＿ＩＤＬＥ状態にあるＵＥに到達するために使用される。
【００１８】
本発明の例示的実施形態は、これらのアプローチの両方の最良の部分（例えば短い待ち時間を有する接続モードおよび低い電力消費を有するアイドル・モード）を組合せる妥協的な解決策を提供する。
【００１９】
本発明の例示的実施形態についてさらに詳述する前に、図２の参照が指示される。図２は、本発明の例示的実施形態を実践する上で使用するのに好適であるｅＮＢ２００およびｅＮＢ２２０などの基地局およびユーザー・デバイス、例えばＵＥ１００の簡略化されたブロック図を例示する。図２において、ｅＮＢ２００およびｅＮＢ２２０などの装置は、例えばＵＥ１００などの無線通信能力を有する他の装置との通信のために適応させられている。
【００２０】
ｅＮＢ２００は、少なくとも１つのデータ・プロセッサ（ＤＰ）２０２などの処理手段、データ２０６および少なくとも１つのコンピュータ・プログラム（ＰＲＯＧ）２０８または他の実行可能命令セットを記憶する少なくとも１つのコンピュータ可読メモリ（ＭＥＭ）２０４などの記憶手段、アンテナ２１４を介してＵＥ１００と双方向無線通信するための送信機ＴＸ２１０および受信機ＲＸ２１２などの通信手段を含む。
【００２１】
ｅＮＢ２２０は、少なくとも１つのデータ・プロセッサ（ＤＰ）２２２などの処理手段、データ２２６および少なくとも１つのコンピュータ・プログラム（ＰＲＯＧ）２２８または他の実行可能命令セットを記憶する少なくとも１つのコンピュータ可読メモリ（ＭＥＭ）２２４などの記憶手段、アンテナ２３４を介してＵＥ１００と双方向無線通信するための送信機ＴＸ２３０および受信機ＲＸ２３２などの通信手段を含む。
【００２２】
ＵＥ１００は、少なくとも１つのデータ・プロセッサ（ＤＰ）２５２などの処理手段、データ２５６および少なくとも１つのコンピュータ・プログラム（ＰＲＯＧ）２５８または他の実行可能命令セットを記憶する少なくとも１つのコンピュータ可読メモリ（ＭＥＭ）２５４などの記憶手段、１つ以上のアンテナ２６４を介してｅＮＢ２００またはｅＮＢ２２０と双方向無線通信するための送信機ＴＸ２６０および受信機ＲＸ２６２などの通信手段を含む。ＵＥ１００は、例えばデュアル接続性の能力を有する場合、ｅＮＢ２００およびｅＮＢ２２０との同時通信を可能にするため、多数の送信機ＴＸおよび受信機ＲＸを有することができる。さらに、図２は単にｅＮＢ２００、ｅＮＢ２２０またはＵＥ１００内の１つの送信機ＴＸおよび１つの受信機ＲＸを例示しているにすぎないが、これは例示的実施形態に係る非限定的なものであり、これらのデバイスは各々、多数のデバイスとの多数のＲＸおよび／またはＴＸ通信または連鎖を同時にサポートするように構成され得る。例示的実施形態によると、データ２０６、２２６および／または２５６は、本発明の例示的実施形態に係る方法を実装し装置を動作させるのに必要とされるデータを含むことができる。
【００２３】
ｅＮＢ２００内のＰＲＯＧ２０８の少なくとも１つは、例示的実施形態にしたがって本明細書中に詳述されているように、結びつけられたＤＰ２０２によって実行された場合、ＵＥ１００の無線リソース制御接続の特定の要素を解除することなく保留状態に保つために、特定の中間状態を実装するようにデバイスが例示的実施形態にしたがって動作できるようにし、セルの変更時にはＵＥ１００をＩＤＬＥモードに自律的に遷移させるようにする一組のプログラム命令を含むものと仮定されている。これらの点に関して、本発明の例示的実施形態は、ｅＮＢ２００のＤＰ２０２によって実行可能であるＭＥＭ２０４上に記憶されたコンピュータ・ソフトウェアによって、またはハードウェアによって、あるいは有形に記憶されたソフトウェアおよびハードウェア（および有形に記憶されたファームウェア）の組合せによって、少なくとも部分的に実装可能である。
【００２４】
同様にして、ｅＮＢ２２０内のＰＲＯＧ２２８の少なくとも１つは、結びつけられたＤＰ２２２によって実行された場合、以上で詳細されているように、本発明の例示的実施形態にしたがってデバイスが動作できるようにする１組のプログラム命令を含むものと仮定される。これらの点に関して、本発明の例示的実施形態は、ｅＮＢ２２０のＤＰ２２２によって実行可能であるＭＥＭ２２４上に記憶されたコンピュータ・ソフトウェアによって、またはハードウェアによって、あるいは有形に記憶されたソフトウェアおよびハードウェア（および有形に記憶されたファームウェア）の組合せによって、少なくとも部分的に実装可能である。
【００２５】
同様にして、ＵＥ１００内のＰＲＯＧ２５８の少なくとも１つは、結びつけられたＤＰ２５２によって実行された場合、以上で詳細されているように、本発明の例示的実施形態にしたがってデバイスが動作できるようにする１組のプログラム命令を含むものと仮定される。これらの点に関して、本発明の例示的実施形態は、ＵＥ１００のＤＰ２５２によって実行可能であるＭＥＭ２５４上に記憶されたコンピュータ・ソフトウェアによって、またはハードウェアによって、あるいは有形に記憶されたソフトウェアおよびハードウェア（および有形に記憶されたファームウェア）の組合せによって、少なくとも部分的に実装可能である。本発明のこれらの態様を実装する電子デバイスは、図２に描かれているデバイス全体である必要はなく、または上述の有形に記憶されたソフトウェア、ハードウェア、ファームウェアおよびＤＰなどのこのデバイスの１つ以上の構成要素、またはチップＳＯＣ上のシステム、または特定用途向け集積回路ＡＳＩＣであることができる。
【００２６】
一般に、ＵＥ１００のさまざまな実施形態は、携帯電話、ナビゲーション・デバイス、ラップトップ／パームトップ／タブレット型コンピュータ、スマート・ウォッチ、ウェアラブル、デジタル・カメラおよびミュージック・デバイスおよびインターネット・アプライアンスなどを非限定的に含む、無線通信能力を有するパーソナル・ポータブル・デジタル・デバイスを含むことができるが、これらに限定されない。
【００２７】
コンピュータ可読ＭＥＭ２０４、２２４および２５４のさまざまな実施形態は、半導体ベースのメモリ・デバイス、磁気メモリ・デバイスおよびシステム、光学メモリ・デバイスおよびシステム、固定メモリ、着脱式メモリ、ディスク・メモリ、フラッシュ・メモリ、ＤＲＡＭ、ＳＲＡＭ、ＥＥＰＲＯＭなどを非限定的に含む、ローカルな技術的環境に好適であるあらゆるデータ記憶技術タイプを含む。ＤＰ２０２、２２２および２５２のさまざまな実施形態は、汎用コンピュータ、専用コンピュータ、マイクロプロセッサ、デジタル信号プロセッサ（ＤＳＰ）およびマルチコア・プロセッサを含むが、これらに限定されない。
【００２８】
以上では、さまざまな例示的実施形態が説明されているが、本発明の実践はここで図示され論述される例示的実施形態に限定されないということを認識すべきである。当業者には、以上の説明に照らして本発明の以上の例示的実施形態に対するさまざまな修正および適応が明白になる可能性がある。
【００２９】
さらに、上述の非限定的な実施形態のさまざまな特徴のうちのいくつかを、説明された他の特徴を相応して使用すること無く、有利に使用することができる。
【００３０】
したがって、以上の説明は、単に本発明の原理、教示および例示的実施形態を例示するものにすぎず、本発明を限定するものでは無い。
【００３１】
本発明の例示的実施形態は、小規模および低頻度の伝送に起因するものなどの接続セットアップによってひき起こされ得る待ち時間を削減するためにシグナリング・オーバーヘッドの削減を提供する。本発明の例示的実施形態によると、ＵＥは、接続を継続するために新しいＲＲＣメッセージを送信する代りに、同じセルに対するランダム・アクセスの直後に先に確立された接続を再開することができる。これにより、ＲＲＣシグナリングが新しい接続を確立するのに必要な時間が節約され、遅延は削減される。さらに、例示的実施形態によると、ＵＥに提供されたリスト内に識別されたセルに対するランダム・アクセスを使用することによって、ＵＥは先に確立された接続を使用してこの接続を再開することができ、他のセルについては、ＵＥは別の接続を確立する前にＩＤＬＥモードに入ることができる。
【００３２】
本発明の例示的実施形態は、急速な再接続を可能にするもののハンドオーバーまたは高頻度の測定およびＣＳＩ報告のオーバーヘッドを有していない新しいＲＲＣ接続状態（これを本明細書中では擬似接続状態と呼ぶことがある）を提供する。実施形態の特性特徴は、新しい状態において、新しいＲＲＣ接続を必要とするセルへのセル変更があった場合にＵＥがなおもそこからＩＤＬＥへと自律的に遷移できるという点にある。これを可能にするために、セル変更の場合に新しい状態からＩＤＬＥモードへと自律的に遷移するためのモビリティ・トリガーを有することが提案されている。セル変更は、例えばハンドオーバー（例えばＵＥの自律的ハンドオーバー）またはセルの再選定またはセルの選定、あるいは、ＵＥにサービス提供しているセルを変更させる結果となるような他のプロシージャを意味することができる。このセル変更は、ネットワークからの明示的コマンド無しでＵＥが自律的に行うことができる。それは、ネットワークにより実装されるセルまたはキャリヤまたはＲＡＴに特定的な信号品質基準、閾値および／または優先度に基づくものであることができる。
【００３３】
ある意味において、この擬似接続状態（または擬似アイドル状態、すなわち新たに提案された状態）は、先に接続されていた状態のいくつかの要素を維持し、擬似接続状態は、条件付きの（場合によって無期限に遅延させられた）接続解除として作用する。実施形態に係る非限定的な例として、これらの要素は、図１に示されたようにＲＲＣ接続プロシージャにおいて確立されたあらゆる要素であることができる。ＵＥの接続を解除する場合、ＮＷは、ＲＲＣ接続の少なくとも一部分が維持されている状態などの新しい中間状態に入るためにＲＲＣ接続解除の少なくともいくつかの要素をＵＥが遅延させるべきであることをＵＥに対しシグナリングすることができる。この点に関して、ＲＲＣＣｏｎｎｅｃｔｉｏｎＲｅｌｅａｓｅＩＥ内で新しい標示が開示されており、あるいは、例えばＲＲＣＣｏｎｎｅｃｔｉｏｎＣｏｎｄｉｔｉｏｎａｌＲｅｌｅａｓｅまたはＲＲＣＣｏｎｎｅｃｔｉｏｎＰｓｅｕｄｏＲｅｌｅａｓｅなどのメッセージ標示といった新しいＩＥをこの目的で定義できると思われるが、他の名称あるいはＩＥも同様に使用可能である。
【００３４】
この例示的疑似接続状態において、ＵＥ（およびＮＷ）はＵＥの接続を完全にかつ直ちに解除することを控え、その代り、新しいデータが存在する場合に再開され得るように接続の要素を保留状態に置く。ＵＥは、ＵＥの自律的な接続解除およびＩＤＬＥモードへの遷移をトリガーするセル変更条件を監視しなければならない。
【００３５】
本発明の主要な新規の態様には、１）ＵＥの接続が解除無く保留状態に保たれていること、および２）ＵＥがセルの変更時にＩＤＬＥモードへと自律的に遷移すること、を特徴とする疑似接続状態が含まれる。疑似接続状態において：
○  ＵＥは、接続の（再）確立および関連するＲＲＣシグナリング無く接続を再開でき、ＣＳＩ報告などのオーバーヘッドは存在しない。
○  接続は条件付きで解除される：すなわち、ＵＥは、セルが変更した場合にのみ自律的に接続を解除する。ＵＥの電力節約は、ＵＥがＣＳＩの送信を停止しよりゆるい要件で測定できるようになった時点で直ちに始まる。
○  接続は、一定の時間（例えば５分）後に自律的に解除され得る。こうして、（ネットワークは、旧接続を解除するためにＵＥのＴＡＵまたは別のセル内での接続確立を待つ必要がないため）、ネットワークに対するオーバーヘッドは制限される。
○  接続は、ネットワークによりサポートされていないセルへの変更中しか接続状態から解除される必要がない。ＵＥに提供されるセル・リストが、変更に接続の解除を必要としないセルを識別している。
【００３６】
上述のセル・リストに関しては、上述のような疑似接続状態において、ただし付加的に、ＵＥが接続解除無く新しい状態で変更できる先であるセルのリストがＵＥにはシグナリングされる。本発明の例示的実施形態によると、１つのセル・リストを１つのＵＥに提供することができる。このセル・リストは、（ＲＲＨまたは理想的バックホール接続／フロントホールを用いて）同じｅＮＢのサービス提供を受けるセルを含むことができる。これは、こうすることで、非限定的にベアラおよびセキュリティ・キーを含む１つの接続の維持された要素を用いた容易な構成が可能になるからである（例えば、実際には、ＵＥがすでにセルを変更した後、ＮＷサイドでセル内ＨＯを行う）。リスト中のセルは、ＵＥのためのＣ−ＲＮＴＩおよびＰＵＣＣＨリソース（特にＳＲ）を用いて構成され得る（シグナリング内で標示されたセル毎の構成、または、リストされた全てのセル内で同じ構成が使用される）。ある実施形態帯において、これは、ＵＥがセルに対してランダム・アクセスを実施するまで遅延させられる可能性がある。
【００３７】
例示的実施形態によると、ネットワーク・デバイスまたはノード、例えばＵＥは同様に、ＵＥとの通信リンク上に全くアクティビティが存在しない経過時間に応答して開始させられるインアクティビティ・タイマーの満了に基づいて、新しいＲＲＣ接続状態へと自律的に遷移することもできる。インアクティビティ・タイマーの持続時間は、例えば、デバイスによるアクティビティが１つの通信リンク上で終了した後に開始することができる。このタイマーの設定値は、そのデバイスのために予めプログラミングするかまたは手動式にプログラミングでき、および／またはデバイスによりシグナリングの中で受信することもできる。このタイマーの設定値は、ネットワークにより設定され得、またはデバイスの使用履歴などに基づいて動的であることもできる。このような使用履歴は、例えばデバイスによる通信リンクの使用頻度を識別することができる。本明細書中で説明されているようにＵＥによりまたはＵＥを用いて行なわれるあらゆる動作は非限定的であり、例示的実施形態によると、これらの動作は非限定的に基地局、アクセス・ポイントおよび移動体デバイスなどの任意のネットワーク・デバイスまたはネットワーク・ノードを用いて行なわれ得る、ということが指摘される。
【００３８】
実際には、提案されている解決策を実装することは、たとえ新しい状態へのＵＥの遷移後であっても、ｅＮＢ／ＮＷがＵＥの接続および関係するリソースまたは要素（ベアラなど、ただしいくつかの場合において、ＵＥが戻るまでＳＲを除いて予約されたＰＵＣＣＨリソースを解除することも可能であり得る）を維持することを意味する。この新しい状態は、ＵＥが現行のセル内の接続を再開するかまたはセルを変更するまでアクティブである。
【００３９】
本発明のメリットとしては、新しい状態において、ＵＥがＤＬにおけるページングについて監視する必要しかなく、またＵＥはＣＳＩレポートを送信しないことから、ＵＥの電力消費がＲＲＣ接続モードの場合よりも低いという点が含まれる。一方で、移動体発信のトラフィックの開始の待ち時間は、接続の再確立が回避されるためにアイドル・モードの場合よりも短い。同様に、上述のようなリスト上（このようなセル・リストが構成されている場合）にないセルへのセル変更またはハンドオーバーの発生時にＵＥは自律的に接続を解除することから、モビリティ・オーバーヘッドは全く存在しない。トラフィック・アクティビティが（差し当たりは、例えばユーザーがウェブ・ページなどを読取ることに起因して）終了した後にＵＥをアイドル・モードへと解除することは、ＵＥが移動しておりＨＯシグナリングを要求すると思われる場合には意味があるものの、そうでない場合には、接続を維持する方が良い、というのがその根拠である。大部分の場合、ＵＥは、接続状態に戻り、セルを変更するのはまれであると考えられている。ネットワークは、例えば、ＵＥのトラフィック・プロファイル、モビリティ状態および／またはＵＥが接続されるセル（例えば、屋内セルにおける静止ＵＥのためのウェブ・ブラウジング・トラフィック）に応じて、ＵＥの接続を解除する代りにこの状態を構成できると思われる。
【００４０】
ＵＥが新しい状態（接続維持、ただしＵＥの測定頻度はより低く、および／または測定値またはＣＳＩの報告頻度もより低いものであるか、または皆無）に保たれている場合、ＵＥは、同じｅＮＢとの通信を再開するときに接続を再度確立する必要がない。その代り、ｒｅ−ｓｙｎｃ（再同期）ＵＬへのランダム・アクセスとＢＳＲの送信で充分であるか、または、ＵＬ  ｓｙｎｃがなおも有効である場合には、スケジューリング要求を直接送信する。この目的のために、新しい状態においてなお、ＴＡＴが実行している可能性があり、あるいは、新しい状態へ遷移する場合には、ＵＥのために、この目的のための新しい値が構成され得ると考えられる。セルのサイズが小さい場合、ＴＡの必要はない可能性があり、この場合、ＴＡＴを無限に設定され得る。別の実施形態において、ＵＥのＴＡが満了した（または変更する）場合、ＵＥは自律的接続を解除する。
【００４１】
以下の図３では、新しいプロシージャが例示されている。この解決策は、図１と図３を比較することで分かるように（時間のかかるＲＲＣシグナリングが回避される）、該ＬＴＥ構成に比べて待ち時間を有意に削減する。ＵＬ  ＴＡが有効である場合、ランダム・アクセスを回避できることから、接続を一層急速に再開することができる。一例として、図３のステップ３０５に示されているように、アップリンク（ＵＬ）内で転送すべきＵＥ発信データが存在する。次に、ステップ３１５において、ＵＥは、データ用のｅＮＢに対しランダム・アクセス（ＲＡ）プリアンブル（例えばＲＡ−ＲＮＴＩ、Ｌ２／Ｌ３メッセージサイズの標示）を送信する。ステップ３２５で、ＵＥは、Ｔ−ＣＲＮＴＩ、ＵＬグラント（例えばＬ２／Ｌ３メッセージ用）および／またはＴＡを含み得るｅＮＢからのＲＡ応答を受信する。ステップ３３５において、ＵＥは、ＵＥのバッファ内のデータに関するバッファ・ステータス・レポートをｅＮＢに送信する。ステップ３４５では、ｅＮＢは、ＵＥにＵＬ割り振りを提供する。次に、ＵＥはステップ３６０においてデータ転送を行う。ここで分かるように、図３に示されている例示的動作は、図１で示されるＲＲＣ接続確立プロシージャに比べ、所要動作数および時間がはるかに少ない。
【００４２】
１つの任意の実施形態においては、ＮＷについてのオーバーヘッドを削減する目的で、接続を保つために条件付き接続解除に結びつけられたタイマーが存在し得る。次に、タイマーが満了した後、接続はセル変更の如何に関わらず解除される。これにより、ＮＷは、旧接続を解除するためにＵＥのトラッキング・エリア更新または別のセル内での接続の確立を待つ必要がないため、ネットワークに対するオーバーヘッドは制限される。
【００４３】
さらに、本発明の例示的実施形態が、アップリンクのみのための使用に限定されないという点が指摘される。本発明の例示的実施形態によると、新しいＲＲＣ接続状態は、ＲＲＣ接続を受入れる任意のタイプの通信リンクにおいて実装可能である。例えば、新しいＲＲＣ接続状態は、ダウンリンク、アップリンク、さらにはデバイス・ツー・デバイス通信リンクにおいて実装することができる。
【００４４】
さらに、本発明の例示的実施形態によると、新しいＲＲＣ接続状態は、あらゆるネットワーク・ノードまたはデバイスによっておよびそれらを用いて実装可能である。このようなネットワーク・ノードまたはデバイスは、ユーザー機器、基地局、リレー、および／またはアクセス・ポイントを含む。さらに、本発明の例示的実施形態は、ＬＴＥネットワークを含めたあらゆるネットワークタイプにおいて使用可能である。
【００４５】
別の任意の実施形態：ＮＷは、ＩＤＬＥへの自律的解除をひき起こすことなく、どのセルについてこのＮＷが再選定できるかの情報を含むことができる。これらのセルは、例えば、同じｅＮＢにより制御されるもののＵＥには異なるｅＮＢに見える遠隔無線ヘッド（ＲＲＨ）であり得る。この場合、ＮＷは、自律的にセルを再選定できるように、これらの全てに対しＵＥのいくつかのＳＲリソースを構成することが必要になる。これにより、幾分かのわずかなオーバーヘッドがひき起こされることになるが、一方で、このタイプの展開は、オフィス・ビルや小規模ビル内ではむしろ一般的であり得る。
【００４６】
例示的実施形態によると、新しい疑似接続状態の一構成は、以下のものの１つ以上（または少なくとも１つ以上の組合せ）を含むことができる：
−  一実施形態において、ＮＷはＵＥに対し（例えばＵＥの接続を解除する代りに）新しい状態に遷移するように命令することができ、ＲＲＣシグナリングにより適切な測定およびキャリヤ／セル特性（セル変更のため）を伴ってＵＥを構成する。ＴＡＴなどの他の接続パラメータを（再）構成することも可能である。
−  別の実施形態において、ＮＷは、セル変更の如何に関わらずＩＤＬＥモードへ遷移するためのタイマーをも伴ってＵＥを構成することができる。および／または、
−  別の実施形態において、ＮＷは、ＵＥが接続を解除することなく自律的に変更する（同じｅＮＢによって制御される）セル・リストをも伴ってＵＥを構成することができる。ＮＷは、列挙された他のセル中で、ＵＥのためのＰＵＣＣＨリソースおよびＣ−ＲＮＴＩを予約する。いくつかの実施形態において、これらのステップは、ＵＥがセルへのランダム・アクセスを行うまで遅延され得ると考えられる。
【００４７】
例示的実施形態において、新しい（擬似接続）状態での動作は、以下のもののうちの１つ以上（または少なくとも１つ以上の組合せ）を含むことができる：
−  ＭＴトラフィック：ＵＥは、ページングについて監視する；
−  ＭＯトラフィック：ＵＥは、接続を再開する（および、ＲＲＣ接続状態に戻る）ためにＳＲを送信する。ＵＬ  ｓｙｎｃが失われた場合（例えばＴＡＴが満了した場合）、ＵＥはまず、再同期するためにランダム・アクセスを行う；
−  ＵＥは、当該状態に入るときに受信した構成にしたがって測定する。ＵＥは測定値またはＣＳＩ／ＣＱＩを報告しない；および／または
−  セルが（任意には、当該状態に入るときに受信した構成の中に列挙されていないセルへと）変更した場合、ＵＥは自律的にＩＤＬＥ状態へと遷移し、接続を解除する。
【００４８】
図４は、新しい（擬似接続）状態がどのように現行のフレームワーク内で適合するかおよび状態間での遷移の理由／トリガーを例示している。図４に示されている通り、ＲＲＣ接続状態４１０とＲＲＣアイドル状態４２０が存在する。矢印４１２に示されているように、ＲＲＣ接続状態４１０は、ＲＲＣアイドル状態４２０に解除され得、ＲＲＣ接続状態４１０は、矢印４１４で示されているように、アイドル状態４２０から再確立され得る。矢印４２４で示されているように、本発明の例示的実施形態によると、疑似接続状態４３０は、新しいデータを交換するためにＲＲＣ接続状態４１０を使用することができる。矢印４２４は同様に、新しい疑似接続状態４３０が、新しいデータを交換するようにセットアップするために、ＳＲまたはＲＡＣＨを使用することができるということも示している。さらに、矢印４２２で示されているように、同様に本明細書中で説明されているように、特定の条件下で疑似接続状態４３０を解除することができる。矢印４３２で示されているように、ＵＥによるセル変更動作のために、疑似接続状態４３０を条件付きで使用することができる。
【００４９】
ネットワークは、それが典型的にＵＥの接続を解除すると考えられる状況において、新しい疑似接続状態に遷移するようにＵＥに命令することができる。これは、例えば、ＵＥのトラフィック・アクティビティが終了するかまたはより長い沈黙期に入った場合であり得る。この遷移をトリガーするために、ＵＥのインアクティビティを測定するタイマーがネットワーク内に存在しており、一定のインアクティビティ（トラフィック無し）の期間後、ＵＥは疑似接続状態に移動するようシグナリングを受ける。いくつかの例示的実施形態においては、一定のインアクティビティ期間（すなわちトラフィックが無い期間）の後、自律的に疑似接続状態に移動するようにＵＥを構成することができる。
【００５０】
本発明の例示的実施形態は、間欠的またはバースト性の対話型トラフィック（例えばウェブ・ブラウジング）を有するＵＥのために待ち時間を有意に削減するように機能する。ＵＥを全セッション中接続モードに保つことにより、過度の電力が消費される可能性があり、したがって、トラフィック・バーストの間でＵＥの接続を解除することは好ましいと考えられる。再接続による待ち時間（およびシグナリング・オーバーヘッド）を回避するため、本発明の報告中で説明されている新しい状態にＵＥを解除することを提案する。これにより、ＵＥがバースト間で過度に移動しない（これは確率の高い使用ケースである）かぎり、実質的なメリットが導かれる可能性がある。
【００５１】
ここで分かるように、本発明の例示的実施形態のメリットは、同じセル（または任意には、同じｅＮＢにより制御されているセル）に対する新しい接続が確立された場合に遅延を削減するということにある。このとき、同時に、本発明の例示的実施形態に係る動作は、ＵＥが、常時ＲＲＣ  ＣＯＮＮＥＣＴＥＤモードにある場合に比べて電力を節約できるようにする。
【００５２】
接続は、ＮＷからＵＥへの明示的シグナリングによって、または構成された解除タイマーが満了した後（この場合、ＵＥは、予めタイマーおよび疑似接続状態パラメータを伴って構成されている）、疑似接続状態へと解除され得る。ＭＤＴについて報告するＲＬＦ／ＨＯＦにおいて、万一ＵＥが元のセルの外に移動した場合の接続の喪失は、ＲＬＦとして考慮されないと考えられる。
【００５３】
別の実施形態において、ＰＤＣＣＨ監視は、ＵＥが新しいモードにあるもののセルを変更していない場合に維持され得る。ＵＥが新しいセルに移動した場合に初めて、状態は基本的にアイドル・モードとなる。この変形形態において、ＮＷは最初に、ＰＤＣＣＨ指令でＵＥに到達することを試みるが、ＵＥがこれに応答しない場合、ＮＷはページングを継続すると考えられる。
【００５４】
図５Ａは、例えば非限定的にＵＥ（例えば図２中のＵＥ１００）などのネットワーク・デバイスが行うことのできる動作を例示する。図５Ａのステップ５１０に示されているように、ユーザー機器により、ネットワーク・ノードがサービス提供するセル内で通信ネットワークのネットワーク・ノードに対する通信リンクの無線リソース制御接続状態を確立するステップが存在する。ステップ５２０では、通信リンクの無線リソース制御接続状態の少なくとも１つの要素を維持するようにユーザー機器に命令する標示を受信する。次に、ステップ５３０においては、通信リンクの無線リソース制御接続状態の少なくとも１つの要素を無期限に維持し、無線リソース制御接続状態の少なくとも１つの要素は、通信リンクの無線リソース制御接続状態を用いてデータ転送した後に維持されるようになっている。
【００５５】
以上の節に記載の例示的実施形態によると、標示は、通信ネットワークからのメッセージおよびユーザー機器におけるインアクティビティ・タイマーの満了のうちの１つを含む。
【００５６】
以上の節に記載の例示的実施形態によると、無線リソース制御接続状態の少なくとも１つの要素は、無線リソース制御接続状態の少なくとも１つの要素を解除するようにユーザー機器に命令する通信ネットワークからの明示的シグナリング、タイマーの満了、およびネットワーク・ノードによるサービス提供を受けていないセルへのユーザー機器の移動のうちの少なくとも１つまで無期限に維持される。
【００５７】
以上の節に記載の例示的実施形態によると、無線リソース制御接続状態の維持された少なくとも１つの要素は、無線リソース制御接続状態の少なくとも１つのベアラおよびセキュリティ・キーを含む。
【００５８】
以上の節に記載の例示的実施形態によると、通信ネットワークからのメッセージはさらに、測定構成、キャリヤおよび／またはセル変更優先度、およびタイミング・アドバンス・タイマー情報のうちの少なくとも１つに関連するユーザー機器用の命令を含む。
【００５９】
以上の節に記載の例示的実施形態によると、ユーザー機器が、データ転送後に通信リンクの接続状態の少なくとも１つの要素を維持している間、ユーザー機器は、ネットワーク・ノードに対してチャネル状態情報を送信せず、ネットワーク・ノードに対して測定値を報告しないこと、比較的少ない頻度で測定値を報告することのうちの１つを行う。
【００６０】
以上の節に記載の例示的実施形態によると、別のデータ転送が求められる場合のために、ネットワーク・ノードに対して無線リソース制御接続状態の維持された少なくとも１つの要素を用いて通信リンク上でスケジューリング要求を送信するステップと、スケジューリング要求に基づいて、通信リンクの無線リソース制御接続状態を再開し、ネットワーク・ノードに対して通信リンク上で別のデータを転送するステップと、が存在する。
【００６１】
以上の節に記載の例示的実施形態によると、通信リンクを再同期するステップおよびスケジューリング要求を送信する前に通信リンク上でネットワーク・ノードに対してバッファ状況報告を送信するステップのうちの少なくとも１つが存在する。
【００６２】
以上の節に記載の例示的実施形態によると、ネットワーク・ノードによりサポートされ無線リソース制御接続状態の維持された少なくとも１つの要素の変更を必要としないセルのリストを、通信ネットワークから受信するステップが存在する。
【００６３】
以上の節に記載の例示的実施形態によると、ユーザー機器により、通信ネットワークの新しいセルへのユーザー機器のセル変更条件を検出させるステップ、この検出に応答して、新しいセルが、無線リソース制御接続状態の維持された少なくとも１つの要素の変更を必要としないセルのリスト上にあるか否かを決定するステップと、新しいセルがセル・リスト上にあることの決定に基づいて、無線リソース制御接続状態の維持された少なくとも１つの要素を伴う新しいセルを選択するステップ、そうでない場合新しいセルがセル・リスト上にないことの決定に基づいて、通信リンクをアイドル状態に自律的に遷移させ、新しいセルに対する接続作業を行うステップが存在する。
【００６４】
以上の節に記載の例示的実施形態によると、タイマーの満了時点で通信リンクをアイドル状態に自律的に遷移させ、通信リンクの無線リソース制御接続状態の維持された少なくとも１つの要素を解除するステップが存在する。
【００６５】
以上に記載の本発明の例示的実施形態によると、通信ネットワークのユーザー機器［図２中にあるＵＥ１００］により、ネットワーク・ノードによるサービス提供を受けるセル内でネットワーク・ノード［図２にあるｅＮＢ２００または２２０］に対する通信リンクの無線リソース制御接続状態を確立するための手段を備えた装置が存在する。通信リンクの無線リソース制御接続状態の少なくとも１つの要素を維持するようにユーザー機器［ＵＥ１００］に命令する標示を受信するための手段［ＤＰ２５２］が存在する。標示に応答して、ユーザー機器［ＵＥ１００］により、通信リンクの無線リソース制御接続状態の少なくとも１つの要素を無期限に維持するための手段［ＤＰ２５２］が存在し、ここで、無線リソース制御接続状態の少なくとも１つの要素は、通信リンクの無線リソース制御接続状態を用いてデータ転送した後に維持されるようになっている。
【００６６】
以上の節に記載の本発明の例示的態様において、確立、受信および維持用の手段は、コンピュータ、プログラム［ＰＲＯＧ２０８、２２８および／または２５８］でエンコードされた非一時的コンピュータ可読媒体［ＭＥＭ２０４、２２４および／または２５４］、および／または少なくとも１つのプロセッサ［ＤＰ２０２、２２２および／または２５２］により実行可能なデータ［Ｄａｔａ２０６、２２６および２５６］を含む。
【００６７】
図５Ｂは、例えば非限定的にネットワーク・アクセス・ノード（図２にあるｅＮＢ２００またはｅＮＢ２２０）などのネットワーク・デバイスが行うことのできる動作を例示している。図５Ｂのステップ５５０に示されているように、装置によるサービス提供を受けるセル内でユーザー機器を用いて通信リンクの無線リソース制御接続状態を通信ネットワーク内で装置を用いて確立するステップが存在する。ステップ５６０では、ユーザー機器から通信リンク上でデータを受信するステップが存在する。その後、ステップ５７０では、データ受信が完了した後に通信リンクの無線リソース制御接続状態の少なくとも１つの要素を無期限に維持するようにユーザー機器に命令する、無線リソース制御情報要素を含むメッセージを、ユーザー機器に対して送信するステップが存在する。
【００６８】
以上の節に記載の例示的実施形態によると、無線リソース制御接続状態の少なくとも１つの要素は、無線リソース制御接続状態を解除するようにユーザー機器に命令する通信ネットワークからの明示的シグナリング、タイマーの満了、およびネットワーク・ノードによるサービス提供を受けていないセルへのユーザー機器の移動のうちの少なくとも１つまで無期限に維持されるようになっている。
【００６９】
以上の節に記載の例示的実施形態によると、維持するステップは、無線リソース制御接続状態の少なくとも１つのベアラおよびセキュリティ・キーを維持するステップを含む。
【００７０】
以上の節に記載の例示的実施形態によると、ユーザー機器からのメッセージはさらに、測定構成、キャリヤおよび／またはセル変更優先度、およびタイミング・アドバンス・タイマー情報のうちの少なくとも１つに関連するユーザー機器用の命令を含む。
【００７１】
以上の節に記載の例示的実施形態によると、ユーザー機器が、データ転送後に通信リンクの接続状態の少なくとも１つの要素を維持している間、装置は、ユーザー機器からチャネル状態情報を受信せず、ユーザー機器から測定値を受信しないこと、および比較的少ない頻度で測定値を受信することのうちの１つを行う。
【００７２】
以上の節に記載の例示的実施形態によると、アクセス・ノードによりサポートされ通信リンクの接続状態の少なくとも１つの要素の変更を必要としないセルのリストをユーザー機器に対して送信するステップが存在する。
【００７３】
上述の本発明の例示的実施形態によると、装置によるサービス提供を受けるセル内でユーザー機器［図２にあるＵＥ１００］を用いて通信リンクの無線リソース制御接続状態を通信ネットワーク内で確立するための手段と、ユーザー機器から通信リンク上でデータを受信するための手段と、データ転送が完了した後通信リンクの無線リソース制御接続状態の少なくとも１つの要素を無期限に維持するようにユーザー機器に命令する、無線リソース制御情報要素を含むメッセージを、ユーザー機器に対して送信するための手段、を備えた装置が存在する。
【００７４】
以上の節に記載の本発明の例示的態様において、確立、受信および維持用の手段は、コンピュータ、プログラム［ＰＲＯＧ２０８、２２８および／または２５８］でエンコードされた非一時的コンピュータ可読媒体［ＭＥＭ２０４、２２４および／または２５４］、および／または少なくとも１つのプロセッサ［ＤＰ２０２、２２２および／または２５２］により実行可能なデータ［Ｄａｔａ２０６、２２６および２５６］を含む。
【００７５】
装置は、少なくとも１つの演算プロセッサ、ユニット、モジュールにより実行されるコンピュータ・プログラムまたはその一部分（追加されたまたは更新されたソフトウェア・ルーティンを含む）として、または算術演算として構成された少なくとも１つのソフトウェア・アプリケーション、モジュール、ユニットまたはエンティティであるか、それらを含むか、あるいはそれらと結びつけられることができる。プログラム・プロダクトまたは単にプログラムとも呼ばれる、ソフトウェア・ルーティン、アプレットおよび／またはマクロを含むコンピュータ・プログラムは、任意の装置可読データ記憶媒体中に記憶することができる。コンピュータ・プログラム・プロダクトは、プログラムが実行された場合に、図５Ａおよび／または５Ｂを用いて以上で説明した実施形態を実施するように構成されている１つ以上のコンピュータ実行可能な構成要素を含むことができる。さらに、ソフトウェア・ルーティンを、装置内にダウンロードすることができる。
【００７６】
装置、例えばアクセス・ノードまたはユーザー・デバイスまたは対応する構成要素は、単一チップ・コンピュータ要素などのコンピュータまたはマイクロプロセッサとして、またはソフトウェアまたは算術演算のために使用される記憶容量を提供するためのメモリおよびソフトウェア、または算術演算を実行するための少なくとも１つの演算プロセッサを含むかまたはそれらに結合されているチップセットとして、構成されることができる。
【００７７】
概して、ハードウェアまたは専用回路、ソフトウェア、論理またはそれらの任意の組合せの形で、さまざまな実施形態を実装することができる。例えば、いくつかの態様をハードウェアで実装する一方で、他の態様を、コントローラ、マイクロプロセッサまたは他の計算デバイスにより実行できるファームウェアまたはソフトウェアで実装することができるが、本発明がそれに限定されることはない。本発明のさまざまな態様をブロック図、流れ図として、またはいくつかの他の図的表現を用いて例示し説明することができるものの、本明細書中に記載のこれらのブロック、装置、システム、技術または方法を、非限定的な例としてハードウェア、ソフトウェア、ファームウェア、専用回路または論理、汎用ハードウェアまたはコントローラまたは他の計算デバイス、またはそれらのいくつかの組合せの形で実装できるということは充分に理解される。
【００７８】
本発明の実施形態を、集積回路モジュールなどのさまざまな構成要素の形で実践することができる。集積回路の設計は、全般的に高度に自動化されたプロセスである。論理レベルの設計を、半導体基板上に直ちにエッチングおよび形成できる半導体回路設計へと転換させるために、複雑で強力なソフトウェア・ツールが利用可能である。
【００７９】
上述の明細書は、例示的な非限定的実施例として、本発明を実施するため当該発明人らが今回企図した最良の方法および装置の完全かつ有益な説明を提供している。しかしながら、添付の図面およびクレームと併せて読んだ場合、以上の説明を考慮して当業者には、さまざまな修正および適応が明白になる可能性がある。しかしながら、本発明の教示のこのようなおよび類似の修正は全て、本発明の範囲内になおも入るものである。
【００８０】
「接続された」、「結合された」、またはその任意の変形形態は、２つ以上の要素の間の、直接的または間接的な任意の接続または結合を意味し、互いに「接続された」または「結合」された２つの要素間の１つ以上の中間要素の存在を包含することができる、ということを指摘しておくべきである。要素間の結合または接続は、物理的、論理的またはその組合せであり得る。本明細書中で用いられているように、２つの要素は、１つ以上のワイヤ、ケーブルおよび／またはプリント電気接続を使用することによって、ならびに、いくつかの非限定的で非網羅的な例として、無線周波数領域、マイクロ波領域および光学的（可視および不可視の両方）領域内の波長を有する電磁エネルギーなどの電磁エネルギーを使用することによって、互いに「接続された」または「結合された」ものとみなすことができる。
【００８１】
さらに、本発明の好ましい実施形態のいくつかの特徴は、他の特徴を相応して使用こと無く、有利に使用することが可能であると考えられる。したがって、上述の説明は、本発明の原理を限定するものではなく単にそれを例示するものとみなされるべきである。
【図１】
2018501712.tif 000003
【図２】
2018501712.tif 000004
【図３】
2018501712.tif 000005
【図４】
2018501712.tif 000006
【図５Ａ】
2018501712.tif 000007
【図５Ｂ】
2018501712.tif 000008
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
通信ネットワークのネットワーク・ノードによりサービス提供されるセル内において、該ネットワーク・ノードに対する通信リンクの無線リソース制御接続状態を、ユーザー機器により確立するステップと、
前記通信リンクの前記無線リソース制御接続状態の少なくとも１つの要素を維持するように前記ユーザー機器に命令する標示を受信するステップと、
前記標示に応答して、前記通信リンクの前記無線リソース制御接続状態の前記少なくとも１つの要素を、前記ユーザー機器により無期限に維持するステップと、
を含む方法であって、
前記無線リソース制御接続状態の前記少なくとも１つの要素は、前記通信リンクの前記無線リソース制御接続状態を用いてデータ転送した後に維持されるようになっている、
方法。
【請求項２】
前記標示は、前記通信ネットワークからのメッセージおよび前記ユーザー機器におけるインアクティビティ・タイマーの満了のうちの１つを含む、請求項１に記載の方法。
【請求項３】
前記無線リソース制御接続状態の前記少なくとも１つの要素は、前記無線リソース制御接続状態の前記少なくとも１つの要素を解除するように前記ユーザー機器に命令する前記通信ネットワークからの明示的シグナリング、タイマーの満了、および、前記ネットワーク・ノードによりサービス提供されていないセルへの前記ユーザー機器の移動のうちの少なくとも１つまで無期限に維持される、請求項１または２に記載の方法。
【請求項４】
少なくとも１つのプロセッサと、コンピュータ・プログラム・コードを含む少なくとも１つのメモリと、を備える装置であって、
前記少なくとも１つのメモリと前記コンピュータ・プログラム・コードは、前記少なくとも１つのプロセッサを用いて、前記装置に、少なくとも、
ネットワーク・ノードによるサービス提供を受けるセル内で通信ネットワークのネットワーク・ノードに対する通信リンクの無線リソース制御接続状態を確立させ、
前記通信リンクの前記無線リソース制御接続状態の少なくとも１つの要素を維持するように前記装置に命令する標示を受信させ、
前記標示に応答して、前記通信リンクの前記無線リソース制御接続状態の前記少なくとも１つの要素を、前記装置を用いて無期限に維持させる
ように構成されており、
前記無線リソース制御接続状態の前記少なくとも１つの要素は、前記通信リンクの前記無線リソース制御接続状態を用いてデータ転送した後に維持されるようになっている、
装置。
【請求項５】
前記標示は、前記通信ネットワークからのメッセージおよび前記装置におけるインアクティビティ・タイマーの満了のうちの１つを含む、請求項４に記載の装置。
【請求項６】
前記通信ネットワークからの前記メッセージはさらに、測定構成、キャリヤおよび／またはセル変更優先度、および、タイミング・アドバンス・タイマー情報のうちの少なくとも１つに関連する前記装置に対する命令を含む、請求項５に記載の装置。
【請求項７】
前記無線リソース制御接続状態の前記少なくとも１つの要素は、前記無線リソース制御接続状態の前記少なくとも１つの要素を解除するように前記装置に命令する前記通信ネットワークからの明示的シグナリング、タイマーの満了、および、前記ネットワーク・ノードによるサービス提供を受けていないセルへの前記装置の移動のうちの少なくとも１つまで無期限に維持される、請求項４ないし６のいずれか１項に記載の装置。
【請求項８】
前記無線リソース制御接続状態の前記維持された少なくとも１つの要素は、前記無線リソース制御接続状態の少なくとも１つのベアラおよびセキュリティ・キーを含む、請求項４ないし７のいずれか１項に記載の装置。
【請求項９】
前記装置が、前記通信リンクの前記無線リソース制御接続状態の少なくとも１つの要素を維持している間、前記装置は、前記ネットワーク・ノードへチャネル状態情報を送信せず、
前記装置は、前記ネットワーク・ノードに対して測定値を報告しない、または、比較的少ない頻度で測定値を報告する、
請求項４ないし８のいずれか１項に記載の装置。
【請求項１０】
データ転送が要求される場合のために、前記装置は、
前記ネットワーク・ノードへ、前記無線リソース制御接続状態の前記維持された少なくとも１つの要素を用いて前記通信リンクの上でスケジューリング要求を送信する手段と、
前記スケジューリング要求に基づいて、前記通信リンクの無線リソース制御接続状態を再開し、前記ネットワーク・ノードへ前記通信リンクの上で別のデータを転送する手段と、
を備える、請求項４ないし９のいずれか１項に記載の装置。
【請求項１１】
前記コンピュータ・プログラム・コードを含む前記少なくとも１つのメモリは、前記少なくとも１つのプロセッサを用いて、前記装置に、
前記通信リンクを再同期すること、および、前記スケジューリング要求を送信する前に前記通信リンクの上で前記ネットワーク・ノードに対してバッファ状況報告を送信することのうちの少なくとも１つをさせる
ように構成される、
請求項１０に記載の装置。
【請求項１２】
前記ネットワーク・ノードによりサポートされ、前記無線リソース制御接続状態の前記維持された少なくとも１つの要素の変更を要求しないセルのリストを、前記通信ネットワークから受信する手段を含む、請求項４ないし１１のいずれか１項に記載の装置。
【請求項１３】
前記コンピュータ・プログラム・コードを含む前記少なくとも１つのメモリは、前記少なくとも１つのプロセッサを用いて、前記装置に、
前記通信ネットワークの新しいセルへの前記装置のセル変更条件を検出させ、
前記検出に応答して、前記新しいセルが、前記無線リソース制御接続状態の前記維持された少なくとも１つの要素の変更を要求しないセルのリスト上にあるか否かを決定させ、
前記新しいセルが前記セル・リスト上にあるとの決定に基づいて、前記無線リソース制御接続状態の前記維持された少なくとも１つの要素を伴う前記新しいセルを選択させ、そうでない場合、前記新しいセルが前記セル・リスト上に無いとの決定に基づいて、前記通信リンクをアイドル状態に自律的に遷移させ、
前記新しいセルへの接続操作を実行させるように構成される、
請求項１２に記載の装置。
【請求項１４】
前記コンピュータ・プログラム・コードを含む前記少なくとも１つのメモリは、前記少なくとも１つのプロセッサを用いて、前記装置に、
タイマーの満了時点で前記通信リンクをアイドル状態に自律的に遷移させ、
前記通信リンクの前記無線リソース制御接続状態の前記維持された少なくとも１つの要素を解除させる
ように構成されている、
請求項４ないし１３のいずれか１項に記載の装置。
【請求項１５】
少なくとも１つのプロセッサと、コンピュータ・プログラム・コードを含む少なくとも１つのメモリと、を備える装置であって、
前記少なくとも１つのメモリと前記コンピュータ・プログラム・コードは、前記少なくとも１つのプロセッサを用いて、前記装置に、少なくとも、
前記装置によりサービス提供されるセル内のユーザー機器を用いて通信リンクの無線リソース制御接続状態を通信ネットワーク内で確立させ、
前記ユーザー機器から前記通信リンクの上でデータを受信させ、
前記データの受信が完了した後に前記通信リンクの前記無線リソース制御接続状態の少なくとも１つの要素を維持するように前記ユーザー機器に命令する無線リソース制御情報要素を含むメッセージを前記ユーザー機器へ送信させる
ように構成される、装置。
【請求項１６】
前記無線リソース制御接続状態の前記少なくとも１つの要素は、
前記無線リソース制御接続状態の少なくとも１つの要素を解除するように前記ユーザー機器に命令する前記通信ネットワークからの明示的シグナリング、
タイマーの満了、および、
前記装置によりサービス提供されないセルへの前記ユーザー機器の移動
のうちの少なくとも１つまで無期限に維持されるようになっている、
請求項１５に記載の装置。
【請求項１７】
前記維持するステップは、前記無線リソース制御接続状態の少なくとも１つのベアラおよびセキュリティ・キーを維持するステップを含む、請求項１５または１６に記載の装置。
【請求項１８】
前記ユーザー機器への前記メッセージはさらに、測定構成、キャリヤおよび／またはセル変更優先度、および、タイミング・アドバンス・タイマー情報のうちの少なくとも１つに関連する前記ユーザー機器に対する命令を含む、請求項１５ないし１７のいずれか１項に記載の装置。
【請求項１９】
前記ユーザー機器が、前記通信リンクの前記無線リソース制御接続状態の少なくとも１つの要素を維持している間、前記装置は、前記ユーザー機器からチャネル状態情報を受信せず、
前記装置は、前記ユーザー機器から測定値を受信しないか、比較的少ない頻度で測定値を受信する請求項１５ないし１８のいずれか１項に記載の装置。
【請求項２０】
前記コンピュータ・プログラム・コードを含む前記少なくとも１つのメモリは、前記少なくとも１つのプロセッサを用いて、前記装置に、
前記装置によりサポートされ、前記通信リンクの前記無線リソース制御接続状態の前記維持された少なくとも１つの要素の変更を要求しないセルのリストを前記ユーザー機器に対して送信させる
ように構成される、
請求項１５ないし１９のいずれか１項に記載の装置。
【請求項２１】
ネットワーク・ノードによりサービス提供されるセルにおいて、該ネットワーク・ノードへ通信リンクの無線リソース制御接続状態を、通信ネットワークのユーザー機器により確立するための手段と、
前記通信リンクの前記無線リソース制御接続状態の少なくとも１つの要素を維持するように前記ユーザー機器に命令する標示を受信するための手段と、
前記標示に応答して、前記通信リンクの前記無線リソース制御接続状態の前記少なくとも１つの要素を、前記ユーザー機器により無期限に維持するための手段と、
を備える装置であって、
前記無線リソース制御接続状態の前記少なくとも１つの要素は、前記通信リンクの前記無線リソース制御接続状態を用いてデータ転送した後に維持されるようになっている、
装置。
【請求項２２】
装置によりサービス提供されるセルにおいて、ユーザー機器を用いて通信リンクの無線リソース制御接続状態を通信ネットワーク内で確立するための手段と、
前記ユーザー機器から前記通信リンクの上でデータを受信するための手段と、
データ転送が完了した後に前記通信リンクの前記無線リソース制御接続状態の少なくとも１つの要素を維持するように前記ユーザー機器に命令する、無線リソース制御情報要素を含むメッセージを前記ユーザー機器へ送信するための手段、
を備える装置。
【請求項２３】
コンピュータ・プログラム・コードを備えるコンピュータ・プログラムであって、前記コンピュータ・プログラム・コードは、少なくとも１つのプロセッサによって実行されたときに、装置に、
ネットワーク・ノードによりサービス提供されるセルにおいて、通信ネットワークの該ネットワーク・ノードに対する通信リンクの無線リソース制御接続状態を確立させ、
前記通信リンクの前記無線リソース制御接続状態の少なくとも１つの要素を維持するように前記装置に命令する標示を受信させ、
前記標示に応答して、前記装置を用いて、前記通信リンクの前記無線リソース制御接続状態の前記少なくとも１つの要素を無期限に維持させるためのものであり、
前記無線リソース制御接続状態の前記少なくとも１つの要素は、前記通信リンクの前記無線リソース制御接続状態を用いてデータ転送した後に維持されるようになっている、コンピュータ・プログラム。
【請求項２４】
コンピュータ・プログラム・コードを備えるコンピュータ・プログラムであって、
前記コンピュータ・プログラム・コードは、少なくとも１つのプロセッサによって実行された場合に、装置に、
前記装置によりサービス提供されるセルにおいて、ユーザー機器を用いて通信リンクの無線リソース制御接続状態を通信ネットワーク内で確立させ、
前記ユーザー機器から前記通信リンクの上でデータを受信させ、
データ転送が完了した後に前記通信リンクの前記無線リソース制御接続状態の少なくとも１つの要素を維持するように前記ユーザー機器に命令する無線リソース制御情報要素を含むメッセージを前記ユーザー機器へ送信させる
ためのものである、
コンピュータ・プログラム。
【国際調査報告】
2018501712.tif 000009
2018501712.tif 000010
2018501712.tif 000011
2018501712.tif 000012